【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
方法であって、
ソーシャルネットワーキング・システムの１つまたは複数のコンピュータ・システムが、１つまたは複数のコンテンツ配信元から利用可能な番組を決定すること、
該ソーシャルネットワーキング・システムの１つまたは複数のコンピュータ・システムが、表示するためにユーザの表示デバイス上の番組ガイドを提供することであって、該番組ガイドが複数のエントリを含み、各エントリが該利用可能な番組の１つと関連付けられている、前記提供すること、
該ソーシャルネットワーキング・システムの１つまたは複数のコンピュータ・システムが、該番組ガイド内の第１のエントリのユーザによる選択を受信することであって、該第１のエントリは、第１の番組と関連付けられている、前記受信すること、
該ソーシャルネットワーキング・システムの１つまたは複数のコンピュータ・システムが、前記第１のエントリの第１の番組の分類に少なくとも部分的に基づいて、該第１の番組のための複数のモジュールを決定することであって、決定されたモジュールの少なくとも１つが、該ソーシャルネットワーキング・システムのソーシャルグラフからのソーシャル・コンテンツを含み、前記第１の番組のための複数のモジュールは、前記第１の番組の決定された分類に関係なく表示される初期設定のモジュールを含む、前記決定すること、
該ソーシャルネットワーキング・システムの１つまたは複数のコンピュータ・システムが、前記第１のエントリの第１の番組に関連付けられたソーシャルグラフからのソーシャル・コンテンツを用いて、決定された複数のモジュールを表示する順序を決定することであって、前記順序は、前記複数のモジュールのうちの特定のモジュールに関連付けられた特定のソーシャル・コンテンツが予め設定された量を超えると判定された場合に調整される、前記順序を決定すること、
該ソーシャルネットワーキング・システムの１つまたは複数のコンピュータ・システムが、ユーザによる選択に応答して該表示デバイス上の番組ガイドとは別のインタフェースに表示するために番組ページを提供することであって、該番組ページが、決定された順序に応じて配置された決定された複数のモジュールを含む、前記提供すること、を備える方法。
【請求項２】
前記ソーシャルネットワーキング・システムの１つまたは複数のコンピュータ・システムによって、前記ソーシャル・コンテンツを求めて、前記ソーシャルネットワーキング・システムの前記ソーシャルグラフに問い合わせを行うことをさらに備え、
前記ソーシャルグラフが、複数のノードと、該ノードをつなぐエッジとを含み、
該複数のノードは、複数のユーザ・ノードと、複数のコンテンツ・ノードとを含み、
該複数のユーザ・ノードは、各々、前記ソーシャルネットワーキング・システムの特定のユーザと関連付けられ、
前記複数のコンテンツ・ノードは、各々、特定のメディアコンテンツに関連付けられている、請求項１に記載の方法。
【請求項３】
前記複数のモジュールが、
前記第１の番組と関連付けられた時刻、前記第１の番組のある放映分の説明、前記第１の番組のチャンネル番号、および前記第１の番組を視聴するためのユーザ選択可能な選択項目を含む放送モジュールと、
前記第１の番組に「いいね」を表明したかまたは前記第１の番組を視聴した前記ソーシャルネットワーキング・システムの他のユーザの標識を含むフェイスパイル・モジュールと、
前記第１の番組の説明を含む番組説明モジュールと、
ユーザが前記ソーシャルネットワーキング・システムの他のユーザとチャットするためのインタフェースを提供するチャット・モジュールと、
ユーザが前記第１の番組に関連する特定のコンテンツに票を投じるためのインタフェースを提供する投票モジュールと、
１つまたは複数の表示される広告を含む広告モジュールと、
前記ソーシャルネットワーキング・システムの他のユーザによる前記第１の番組の評価の標識を含むレビュー・モジュールと、
前記第１の番組を評価するためのユーザ選択可能な選択項目、またはユーザが前記第１の番組を以前に評価したことがある場合は、ユーザによる前記第１の番組の以前の評価の標識を含む評価モジュールと、
前記第１の番組に関連付けられたスポーツ情報を含むスポーツ・モジュールと
から選択される、請求項１に記載の方法。
【請求項４】
前記ソーシャル・コンテンツが、
前記第１の番組を視聴した前記ソーシャルネットワーキング・システムの他のユーザの数の標識、
前記第１の番組に「いいね」を表明した前記ソーシャルネットワーキング・システムの他のユーザの数の標識、
前記第１の番組をシェアした前記ソーシャルネットワーキング・システムの他のユーザの数の標識、
前記ユーザによる前記第１の番組の評価の標識、
前記ソーシャルネットワーキング・システムの他のユーザによる前記特定の番組の評価の標識、または
フェイスパイル
のうちの１つまたは複数を含む、請求項１に記載の方法。
【請求項５】
決定されたモジュールの少なくとも１つが、ユーザによって選択されると、ユーザと前記ソーシャルグラフ内の１つまたは複数の他のノードとの間に１つまたは複数のエッジを生成するように動作可能である、請求項１に記載の方法。
【請求項６】
決定されたモジュールの少なくとも１つが、ユーザによって選択されると、
ユーザの前記表示デバイス上で前記第１の番組を再生し始めるための命令を送るように、
ユーザの別の表示デバイス上で前記第１の番組を再生し始めるための命令を送るように、または
前記第１の番組を視聴することができるチャンネルに別のデバイスを同調させるための命令を送るように、動作可能であるユーザ選択可能な選択項目を含む、請求項１に記載の方法。
【請求項７】
前記ソーシャルネットワーキング・システムの１つまたは複数のコンピュータ・システムが、番組ガイドの第２のエントリのユーザによる選択を受け取ることであって、前記第２のエントリは、第２の番組に関連付けられている、前記選択を受け取ること、
前記ソーシャルネットワーキング・システムの１つまたは複数のコンピュータ・システムが、前記第２のエントリのユーザによる選択に応答して、前記表示デバイスの番組ガイドとは別の第２のインタフェースに表示するための第２の番組ページを提供すること、をさらに備え、
前記第２の番組ページは、前記第１の番組の決定された複数のモジュールとは異なる第２の複数のモジュールを含む、請求項１に記載の方法。
【請求項８】
決定された複数のモジュールは、アクション・バー・モジュールを含み、
前記アクション・バー・モジュールは、
前記第１の番組に「いいね」を表明するための第１のユーザ選択可能な選択項目と、
ユーザに、１人または複数の友達と前記第１の番組を共有させるか、または前記ソーシャルネットワーキング・システム上のユーザとのつながりを共有させる第２のユーザ選択可能な選択項目と、を含む、請求項１に記載の方法。
【請求項９】
１つまたは複数のコンピューティング・システム内の１つまたは複数のコンピュータ可読非一時的記憶媒体であって、実行されたときに、
１つまたは複数のコンテンツ配信元から利用可能な番組を決定すること、
表示するためにユーザの表示デバイス上の番組ガイドを提供することであって、該番組ガイドが複数のエントリを含み、各エントリは、該利用可能な番組の１つと関連付けられている、前記提供すること、
該番組ガイド内の第１のエントリのユーザによる選択を受信することであって、該第１のエントリが、第１の番組と関連付けられている、前記受信すること、
前記第１のエントリの第１の番組の分類に少なくとも部分的に基づいて、該第１の番組のための複数のモジュールを決定することであって、決定されたモジュールの少なくとも１つが、ソーシャルネットワーキング・システムのソーシャルグラフからのソーシャル・コンテンツを含み、前記第１の番組のための複数のモジュールは、前記第１の番組の決定された分類に関係なく表示される初期設定のモジュールを含む、前記決定すること、
前記第１のエントリの第１の番組に関連付けられたソーシャルグラフからのソーシャル・コンテンツを用いて、決定された複数のモジュールを表示する順序を決定することであって、前記順序は、前記複数のモジュールのうちの特定のモジュールに関連付けられた特定のソーシャル・コンテンツが予め設定された量を超えると判定された場合に調整される、前記順序を決定すること、
ユーザによる選択に応答して該表示デバイス上の番組ガイドとは別のインタフェースに表示するために番組ページを提供することであって、該番組ページが、決定された順序に応じて配置された決定された複数のモジュールを含む、前記提供すること、を実行するように動作可能なロジックを実装する１つまたは複数のコンピュータ可読非一時的記憶媒体。
【請求項１０】
前記ロジックが、実行されたときに、
前記ソーシャル・コンテンツを求めて、前記ソーシャルネットワーキング・システムの前記ソーシャルグラフに問い合わせを行うことを実行するようにさらに動作可能であり、
前記ソーシャルグラフが、複数のノードと、該ノードをつなぐエッジとを含み、
該複数のノードは、複数のユーザ・ノードを含み、
該複数のユーザ・ノードは、各々、前記ソーシャルネットワーキング・システムの特定のユーザと関連付けられている、請求項９に記載の１つまたは複数のコンピュータ可読非一時的記憶媒体。
【請求項１１】
前記複数のモジュールが、
前記第１の番組と関連付けられた時刻、前記第１の番組のある放映分の説明、前記第１の番組のチャンネル番号、および前記第１の番組を視聴するためのユーザ選択可能な選択項目を含む放送モジュールと、
前記第１の番組に「いいね」を表明したかまたは前記第１の番組を視聴した前記ソーシャルネットワーキング・システムの他のユーザの標識を含むフェイスパイル・モジュールと、
前記第１の番組に「いいね」を表明するかまたは前記第１の番組をシェアするための１つまたは複数のユーザ選択可能な選択項目を含むアクション・バー・モジュールと、
前記第１の番組の説明を含む番組説明モジュールと、
ユーザが前記ソーシャルネットワーキング・システムの他のユーザとチャットするためのインタフェースを提供するチャット・モジュールと、
ユーザが前記第１の番組に関連する特定のコンテンツに票を投じるためのインタフェースを提供する投票モジュールと、
１つまたは複数の表示される広告を含む広告モジュールと、
前記ソーシャルネットワーキング・システムの他のユーザによる前記第１の番組の評価の標識を含むレビュー・モジュールと、
前記第１の番組を評価するためのユーザ選択可能な選択項目、またはユーザが前記第１の番組を以前に評価したことがある場合は、ユーザによる前記第１の番組の以前の評価の標識を含む評価モジュールと、
前記第１の番組に関連付けられたスポーツ情報を含むスポーツ・モジュールと
から選択される、請求項９に記載の１つまたは複数のコンピュータ可読非一時的記憶媒体。
【請求項１２】
前記ソーシャル・コンテンツが、
前記第１の番組を視聴した前記ソーシャルネットワーキング・システムの他のユーザの数の標識、
前記第１の番組に「いいね」を表明した前記ソーシャルネットワーキング・システムの他のユーザの数の標識、
前記第１の番組をシェアした前記ソーシャルネットワーキング・システムの他のユーザの数の標識、
前記ユーザによる前記第１の番組の評価の標識、
前記ソーシャルネットワーキング・システムの他のユーザによる前記第１の番組の評価の標識、または
フェイスパイル
のうちの１つまたは複数を含む、請求項９に記載の１つまたは複数のコンピュータ可読非一時的記憶媒体。
【請求項１３】
システムであって、
１つまたは複数のプロセッサと、
該１つまたは複数のプロセッサに結合され、該１つまたは複数のプロセッサによって実行可能な命令を含むメモリと、を備える前記システムにおいて、
該１つまたは複数のプロセッサが、該命令を実行したときに、
１つまたは複数のコンテンツ配信元から利用可能な番組を決定すること、
表示するためにユーザの表示デバイス上の番組ガイドを提供することであって、該番組ガイドが複数のエントリを含み、各エントリが、該利用可能な番組の１つと関連付けられている、前記提供すること、
該番組ガイド内の第１のエントリのユーザによる選択を受信することであって、該第１のエントリが、第１の番組と関連付けられている、前記受信すること、
前記第１のエントリの第１の番組の分類に少なくとも部分的に基づいて、該第１の番組のための複数のモジュールを決定することであって、決定されたモジュールの少なくとも１つが、ソーシャルネットワーキング・システムのソーシャルグラフからのソーシャル・コンテンツを含み、前記第１の番組のための複数のモジュールは、前記第１の番組の決定された分類に関係なく表示される初期設定のモジュールを含む、前記決定すること、
前記第１のエントリの第１の番組に関連付けられたソーシャルグラフからのソーシャル・コンテンツを用いて、決定された複数のモジュールを表示する順序を決定することであって、前記順序は、前記複数のモジュールのうちの特定のモジュールに関連付けられた特定のソーシャル・コンテンツが予め設定された量を超えると判定された場合に調整される、前記順序を決定すること、
ユーザによる選択に応答して該表示デバイス上の番組ガイドとは別のインタフェースに表示するために番組ページを提供することとであって、該番組ページが、決定された順序に応じて配置された決定された複数のモジュールを含む、前記提供すること、を実行するように動作可能である、システム。
【請求項１４】
前記１つまたは複数のプロセッサが、前記命令を実行したときに、
前記ソーシャル・コンテンツを求めて、前記ソーシャルネットワーキング・システムの前記ソーシャルグラフに問い合わせを行うことを実行するようにさらに動作可能であり、
前記ソーシャルグラフが、複数のノードと、該ノードをつなぐエッジとを含み、
該複数のノードが、複数のユーザ・ノードを含み、
該複数のユーザ・ノードは、各々、前記ソーシャルネットワーキング・システムの特定のユーザと関連付けられている、請求項１３に記載のシステム。
【請求項１５】
前記複数のモジュールが、
前記第１の番組と関連付けられた時刻、前記第１の番組のある放映分の説明、前記第１の番組のチャンネル番号、および前記第１の番組を視聴するためのユーザ選択可能な選択項目を含む放送モジュールと、
前記第１の番組に「いいね」を表明したかまたは前記第１の番組を視聴した前記ソーシャルネットワーキング・システムの他のユーザの標識を含むフェイスパイル・モジュールと、
前記第１の番組に「いいね」を表明するかまたは前記第１の番組をシェアするための１つまたは複数のユーザ選択可能な選択項目を含むアクション・バー・モジュールと、
前記第１の番組の説明を含む番組説明モジュールと、
ユーザが前記ソーシャルネットワーキング・システムの他のユーザとチャットするためのインタフェースを提供するチャット・モジュールと、
ユーザが前記第１の番組に関連する特定のコンテンツに票を投じるためのインタフェースを提供する投票モジュールと、
１つまたは複数の表示される広告を含む広告モジュールと、
前記ソーシャルネットワーキング・システムの他のユーザによる前記第１の番組の評価の標識を含むレビュー・モジュールと、
前記第１の番組を評価するためのユーザ選択可能な選択項目、またはユーザが前記第１の番組を以前に評価したことがある場合は、ユーザによる前記第１の番組の以前の評価の標識を含む評価モジュールと、
前記第１の番組に関連付けられたスポーツ情報を含むスポーツ・モジュールと
から選択される、請求項１３に記載のシステム。
【請求項１６】
前記ソーシャル・コンテンツが、
前記第１の番組を視聴した前記ソーシャルネットワーキング・システムの他のユーザの数の標識、
前記第１の番組に「いいね」を表明した前記ソーシャルネットワーキング・システムの他のユーザの数の標識、
前記第１の番組をシェアした前記ソーシャルネットワーキング・システムの他のユーザの数の標識、
前記ユーザによる前記第１の番組の評価の標識、
前記ソーシャルネットワーキング・システムの他のユーザによる前記第１の番組の評価の標識、または
フェイスパイル
のうちの１つまたは複数を含む、請求項１３に記載のシステム。